(57)【要約】      （修正有）【課題】複数のプロジェクターから構成されるプロジェクターシステムにおいて、電源オフ時のクールダウンが集中することによる冷却音の増大を防止する。【解決手段】プロジェクターシステムのプロジェクター１０１は、光源１１から射出された光を画像情報に応じて変調して投写する画像投写手段１０と、プロジェクター１０１の筐体の内部の温度を計測する温度計測手段２７と、少なくとも画像投写手段１０を冷却するための冷却手段２５と、プロジェクターシステムが電源オフする際、温度が予め設定された終了温度２１１以下になるまで冷却手段２５の動作を制御するクールダウンを、設定された順に実行する冷却制御手段２６とを備える。【選択図】図１
2014164161.tif 000002
【特許請求の範囲】
【請求項１】
複数のプロジェクターから構成されるプロジェクターシステムであって、
前記複数のプロジェクターのそれぞれは、
光源から射出された光を画像情報に応じて変調して投写する画像投写手段と、
これらを収容する筐体と、
前記筐体の内部の温度を計測する温度計測手段と、
少なくとも前記画像投写手段を冷却するための冷却手段と、
前記温度が予め設定された終了温度以下になるまで、前記冷却手段の動作を制御するクールダウンを実行する冷却制御手段と、
を有し、
当該プロジェクターシステムが電源オフする際、前記複数のプロジェクターは設定された順に前記クールダウンを実行することを特徴とするプロジェクターシステム。
【請求項２】
請求項１に記載のプロジェクターシステムにおいて、
前記複数のプロジェクターのうち前記クールダウンの実行を待機しているプロジェクターの冷却制御手段は、前記冷却手段を、前記クールダウンより低い冷却レベルで動作させることを特徴とするプロジェクターシステム。
【請求項３】
請求項１または２に記載のプロジェクターシステムにおいて、
当該プロジェクターシステムが電源オフする際、前記複数のプロジェクターは、前記温度が高い順に前記クールダウンを実行することを特徴とするプロジェクターシステム。
【請求項４】
請求項１から３のいずれか一項に記載のプロジェクターシステムにおいて、
当該プロジェクターシステムが電源オフする際、前記複数のプロジェクターが設定された順に前記クールダウンを実行する処理を、前記終了温度を多段階で下げながら複数回実行することを特徴とするプロジェクターシステム。
【請求項５】
光源から射出された光を画像情報に応じて変調して投写する画像投写手段と、これらを収容する筐体と、を有するプロジェクターであって、
前記筐体の内部の温度を計測する温度計測手段と、
少なくとも前記画像投写手段を冷却するため冷却手段と、
前記温度が予め設定された終了温度以下になるまで、前記冷却手段の動作を制御するクールダウンを実行する冷却制御手段と、
他のプロジェクターと通信するための通信手段と、
当該プロジェクターが前記他のプロジェクターに動作を指示する第１モードと、前記他のプロジェクターからの指示を受け付けて動作する第２モードのいずれかを設定する、モード設定手段と、
当該プロジェクターの動作を制御する制御手段と、
を備え、
前記制御手段は、前記モード設定手段に前記第１モードが設定されている場合において、当該プロジェクターが電源オフするとき、当該プロジェクター、および前記他のプロジェクターに対し、設定された順に前記クールダウンを実行させることを特徴とするプロジェクター。
【請求項６】
請求項５に記載のプロジェクターにおいて、
前記制御手段は、前記モード設定手段に前記第１モードが設定されている場合において、当該プロジェクターが電源オフするとき、当該プロジェクター、および前記他のプロジェクターに対し、前記温度が高い順に前記クールダウンを実行させることを特徴とするプロジェクター。
【請求項７】
請求項５または６に記載のプロジェクターにおいて、
前記制御手段は、前記モード設定手段に前記第１モードが設定されている場合において、当該プロジェクターが電源オフするとき、当該プロジェクター、および前記他のプロジェクターが設定された順に前記クールダウンを実行する処理を、前記終了温度を多段階で下げながら複数回実行させることを特徴とするプロジェクター。
【請求項８】
複数のプロジェクターから構成されるプロジェクターシステムの制御方法であって、
前記複数のプロジェクターのそれぞれは、
光源から射出された光を画像情報に応じて変調して投写する画像投写手段と、
これらを収容する筐体と、
前記筐体の内部の温度を計測する温度計測手段と、
少なくとも前記画像投写手段を冷却するための冷却手段と、
を備え、
前記温度が予め設定された終了温度以下になるまで、前記冷却手段の動作を制御するクールダウンを実行するクールダウンステップを有し、
前記クールダウンステップでは、当該プロジェクターシステムが電源オフする際、前記複数のプロジェクターは設定された順に前記クールダウンを実行することを特徴とするプロジェクターシステムの制御方法。
【発明の詳細な説明】
【技術分野】
【０００１】
本発明は、複数のプロジェクターから構成されるプロジェクターシステム、プロジェクターシステムの制御方法、及びプロジェクターに関する。
【背景技術】
【０００２】
従来、光源から射出された光を変調して画像光を形成し、この画像をスクリーン等に投写するプロジェクターが知られている。また、多くのプロジェクターは、光源の点灯に伴って高温となる筐体の内部を冷却するための冷却装置（冷却ファン等）を備えている。この冷却装置は、光源を消灯させた後もしばらくの間は冷却を継続するようになっており、高温のまま放置された場合に生じ得る各種構成部品の劣化を防止している。なお、光源が消灯した後の冷却は「クールダウン」等と呼ばれる。
【０００３】
クールダウンにおいては、特許文献１のプロジェクターのように、冷却ファンを高速で回転する技術が用いられており、クールダウンにかかる時間を短縮することができる。
【先行技術文献】
【特許文献】
【０００４】
【特許文献１】特開２００３−２４８２６９号公報
【発明の概要】
【発明が解決しようとする課題】
【０００５】
しかし、複数のプロジェクターから構成されるプロジェクターシステムにおいては、電源オフ時に冷却ファンを高速で回転するクールダウンを全てのプロジェクターが一斉に開始するため、冷却ファンの回転音（冷却音）が増大するという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、複数のプロジェクターから構成されるプロジェクターシステムであって、前記複数のプロジェクターのそれぞれは、光源から射出された光を画像情報に応じて変調して投写する画像投写手段と、これらを収容する筐体と、前記筐体の内部の温度を計測する温度計測手段と、少なくとも前記画像投写手段を冷却するための冷却手段と、前記温度が予め設定された終了温度以下になるまで、前記冷却手段の動作を制御するクールダウンを実行する冷却制御手段と、を有し、当該プロジェクターシステムが電源オフする際、前記複数のプロジェクターは設定された順に前記クールダウンを実行することを特徴とする。
【０００８】
本適用例によれば、複数のプロジェクターから構成されるプロジェクターシステムにおいて、電源オフ時にプロジェクターの内部を冷却するクールダウンを複数のプロジェクターが設定された順に実行するので、全てのプロジェクターが一斉にクールダウンを実行することによる冷却音の増大を防止することが可能となる。
【０００９】
［適用例２］上記適用例に記載のプロジェクターシステムにおいて、前記複数のプロジェクターのうち前記クールダウンの実行を待機しているプロジェクターの冷却制御手段は、前記冷却手段を前記クールダウンより低い冷却レベルで動作させることが好ましい。
【００１０】
本適用例によれば、クールダウンの実行を待機しているプロジェクターがクールダウンより低い冷却レベルで冷却動作を行い、プロジェクターの内部の温度を下げるので、冷却音の増大を抑えながら、全てのプロジェクターがクールダウンを終了するまでにかかる時間を短縮することが可能となる。
【００１１】
［適用例３］上記適用例に記載のプロジェクターシステムにおいて、当該プロジェクターシステムが電源オフする際、前記複数のプロジェクターは、前記温度が高い順に前記クールダウンを実行することが好ましい。
【００１２】
本適用例によれば、電源オフ時に温度の高いプロジェクターから順にクールダウンを実行するので、電源オフ直後の温度が高いプロジェクターが、高温状態のままクールダウンの実行を待機する時間を短縮することが可能となる。
【００１３】
［適用例４］上記適用例に記載のプロジェクターシステムにおいて、当該プロジェクターシステムが電源オフする際、前記複数のプロジェクターが設定された順に前記クールダウンを実行する処理を、前記終了温度を多段階で下げながら複数回実行することが好ましい。
【００１４】
本適用例によれば、複数のプロジェクターが設定された順にクールダウンを実行する処理を、終了温度を下げながら複数回実行するので、１回のクールダウンにかかる時間を短くすることができる。これにより、それぞれのプロジェクターが、まだ温度が高い状態で次のクールダウンの実行を待機する時間を短縮することが可能となる。
【００１５】
［適用例５］本適用例に係るプロジェクターは、光源から射出された光を画像情報に応じて変調して投写する画像投写手段と、これらを収容する筐体と、を有するプロジェクターであって、前記筐体の内部の温度を計測する温度計測手段と、少なくとも前記画像投写手段を冷却するため冷却手段と、前記温度が予め設定された終了温度以下になるまで、前記冷却手段の動作を制御するクールダウンを実行する冷却制御手段と、他のプロジェクターと通信するための通信手段と、当該プロジェクターが前記他のプロジェクターに動作を指示する第１モードと、前記他のプロジェクターからの指示を受け付けて動作する第２モードのいずれかを設定する、モード設定手段と、当該プロジェクターの動作を制御する制御手段と、を備え、前記制御手段は、前記モード設定手段に前記第１モードが設定されている場合において、当該プロジェクターが電源オフするとき、当該プロジェクター、および前記他のプロジェクターに対し、設定された順に前記クールダウンを実行させることを特徴とする。
【００１６】
本適用例によれば、他のプロジェクターと通信してその動作を制御し、電源オフ時に内部を冷却するクールダウンを順に実行させるので、複数のプロジェクターでクールダウンが一斉に実行されることによる冷却音の増大を防止することが可能となる。
【００１７】
［適用例６］上記適用例に記載のプロジェクターにおいて、前記制御手段は、前記モード設定手段に前記第１モードが設定されている場合において、当該プロジェクターが電源オフするとき、当該プロジェクター、および前記他のプロジェクターに対し、前記温度が高い順に前記クールダウンを実行させることが好ましい。
【００１８】
本適用例によれば、電源オフ時に、温度の高いプロジェクターから順にクールダウンを実行するので、電源オフ直後の温度が高いプロジェクターが、高温状態のままクールダウンの実行を待機する時間を短縮することが可能となる。
【００１９】
［適用例７］上記適用例に記載のプロジェクターにおいて、前記制御手段は、前記モード設定手段に前記第１モードが設定されている場合において、当該プロジェクターが電源オフするとき、当該プロジェクター、および前記他のプロジェクターが設定された順に前記クールダウンを実行する処理を、前記終了温度を多段階で下げながら複数回実行させることが好ましい。
【００２０】
本適用例によれば、複数のプロジェクターが設定された順にクールダウンを実行する処理を、終了温度を下げながら複数回実行するので、１回のクールダウンにかかる時間を短くすることができる。これにより、それぞれのプロジェクターがまだ温度が高い状態で次のクールダウンの実行を待機する時間を短縮することが可能となる。
【００２１】
［適用例８］本適用例に係るプロジェクターシステムの制御方法は、複数のプロジェクターから構成されるプロジェクターシステムの制御方法であって、前記複数のプロジェクターのそれぞれは、光源から射出された光を画像情報に応じて変調して投写する画像投写手段と、これらを収容する筐体と、前記筐体の内部の温度を計測する温度計測手段と、少なくとも前記画像投写手段を冷却するための冷却手段と、を備え、前記温度が予め設定された終了温度以下になるまで、前記冷却手段の動作を制御するクールダウンを実行するクールダウンステップを有し、前記クールダウンステップでは、当該プロジェクターシステムが電源オフする際、前記複数のプロジェクターは設定された順に前記クールダウンを実行することを特徴とする。
【００２２】
本適用例によれば、複数のプロジェクターから構成されるプロジェクターシステムにおいて、プロジェクターの内部の温度が所定の終了温度以下になるまで冷却手段を動作させるクールダウンを、複数のプロジェクターが設定された順に実行させるクールダウンステップを備えることにより、複数のプロジェクターが一斉にクールダウンを実行することによる冷却音の増大を防止することが可能となる。
【図面の簡単な説明】
【００２３】
【図１】実施形態に係るプロジェクターの回路構成を示すブロック図。
【図２】実施形態に係るプロジェクターシステムのクールダウンの実行順を示す図。
【図３】プロジェクターが電源オフするときの動作を示すフローチャート。
【図４】クールダウンの動作を示すフローチャート。
【発明を実施するための形態】
【００２４】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２５】
（実施形態）
図１は本実施形態のプロジェクターシステム１００のうちの一つのプロジェクター１０１の回路構成を示すブロック図である。
図１に示すように、プロジェクター１０１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、冷却手段２５、冷却制御手段２６、温度計測手段２７、電源端子３０、電源部３１、通信手段４０等で構成されており、これらは図示しないプロジェクター１０１の筐体の内部に収容されている。
【００２６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣに拡大投写される。
【００２９】
なお、本実施形態では、画像投写手段１０は、３つの液晶ライトバルブ１２Ｒ，１２Ｇ，１２Ｂを用いた透過型液晶方式の光変調装置を例示したが、反射型液晶表示方式やマイクロミラーデバイス方式（ライトスイッチ表示方式）など、他の表示方式の光変調装置を採用しても良い。
【００３０】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１０１の動作を統括制御する。つまり、制御手段２０は、記憶手段２１とともにコンピューターとして機能する。制御手段２０は、プロジェクター１０１が他のプロジェクターに動作を指示する第１モードと、他のプロジェクターからの指示を受け付けて動作する第２モードのいずれかを設定するモード設定手段２０１を備える。
【００３１】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１０１の動作を制御するための制御プログラムや、プロジェクター１０１の動作条件等を規定する各種設定データ等が記憶されている。本実施形態の記憶手段２１には、クールダウンを終了するための設定温度となる終了温度２１１、クールダウンを実行するための情報となるクールダウン情報２１２が保存される。
【００３２】
終了温度２１１には、冷却制御手段２６が実行するクールダウンに用いられる温度が設定される。冷却制御手段２６はプロジェクター１０１の筐体の内部の温度が終了温度２１１以下になるまで冷却手段２５を動作させるクールダウンを実行する。クールダウンは終了温度２１１を多段階で下げながら複数回実行され、クールダウン情報２１２には各段階において終了温度２１１に設定する温度が保存される。
【００３３】
入力操作手段２３は、ユーザーがプロジェクター１０１に対して各種指示を行うための複数の操作キーを備えている。入力操作手段２３は、図示は省略するが、ユーザーがプロジェクター１０１に対して各種指示を行うための複数の操作キーを備え、プロジェクター１０１の筐体外面に備えられる本体キーで構成される。
【００３４】
入力操作手段２３が備える操作キーとしては、電源のオン・オフを交互に切り替えるための電源キーや、画像信号入力手段１８に入力される画像情報を選択するために複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。
【００３５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３６】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３７】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３８】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３９】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４０】
光源制御手段２２は、制御手段２０の指示に基づいて、光源１１に対する電力の供給と停止とを制御し、光源１１の点灯及び消灯を切り替える。
【００４１】
電源部３１には、電源端子３０を介してＡＣ１００Ｖ等の電力が外部から供給される。電源部３１は、入力した電力（交流電力）を所定の直流電力に変換して、プロジェクター１０１の各部に変換した電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
温度計測手段２７は、サーミスターなどの温度センサー等から構成され、プロジェクター１０１の筐体の内部の温度を計測し、その計測結果を冷却制御手段２６に通知する。温度計測手段２７は、画像投写手段１０の光源１１、液晶ライトバルブ１２Ｒ，１２Ｇ，１２Ｂや電源部３１のように熱を発する部位や熱によるダメージを受けやすい部位に配置される。
【００４３】
冷却手段２５は、冷却制御手段２６の指示に基づき、光源１１の点灯等に伴って高温となるプロジェクター１０１の筐体の内部を冷却するために設けられ、プロジェクター１０１を冷却する機能を有する。冷却手段２５は軸流ファンやシロッコファン等の冷却ファンによって構成される。冷却手段２５の冷却レベルを高くするには冷却ファンの回転数を高くし、冷却レベルを低くするには冷却ファンの回転数を低くする。
【００４４】
冷却制御手段２６は、制御手段２０の指示に基づいて、冷却手段２５の動作、およびその停止を制御する。そして、冷却制御手段２６は、制御手段２０の指示と温度計測手段２７の計測結果とに基づいて冷却手段２５の動作レベル（冷却レベル）を制御し、プロジェクター１０１の動作中における温度上昇の抑制、およびプロジェクター１０１が電源オフするときのクールダウンを実行する。
【００４５】
クールダウンにおいては、プロジェクター１０１の内部の温度が終了温度２１１以下になるまで、動作中よりも高い冷却レベルで、冷却手段２５を動作させる。冷却制御手段２６はプロジェクター１０１が電源オフする際、クールダウンの実行を待機している状態、つまり他のプロジェクターがクールダウンを実行している状態ではクールダウンよりも低い冷却レベルで冷却手段２５を動作させる。
【００４６】
通信手段４０は、図示しない通信ケーブルなどを介して他のプロジェクターと通信し、動作の指示、または指示された動作に対する応答などを行う。モード設定手段２０１により第１モードに設定されているプロジェクター（以下メインプロジェクターと言う）は第２モードに設定されているプロジェクター（以下サブプロジェクターと言う）に動作指示を行うためのコマンドを送信する。
【００４７】
メインプロジェクターがサブプロジェクターに対し送信するコマンドとしては、光源１１の消灯を指示する光源消灯コマンド、クールダウンの実行を指示するクールダウン実行コマンド、クールダウン待機状態を指示するクールダウン待機コマンド、内部温度を測定し測定結果の返信を指示する内部温度収集コマンド、クールダウンにおける終了温度２１１を設定させる終了温度設定コマンド、スタンバイ状態への移行を指示するスタンバイコマンドなどがある。
【００４８】
サブプロジェクターはメインプロジェクターから上述したコマンドを受信すると指示された動作を実行する。例えば、クールダウン実行コマンドの場合は、クールダウン終了時にクールダウン終了通知をメインプロジェクターに送信する。また、内部温度収集コマンドの場合は、内部温度を計測し、その計測結果をメインプロジェクターに送信する。
【００４９】
本実施形態の制御手段２０は、各プロジェクターが順にクールダウンを実行する処理を、終了温度２１１を多段階に下げながら複数回実行する。例えば、終了温度２１１を２段階に下げながらクールダウンを実行する場合、各プロジェクターは、クールダウンを２回ずつ実行することになる。
【００５０】
本実施形態のプロジェクターシステム１００は、複数のプロジェクターから構成される。例えば複数のプロジェクターそれぞれが、画像情報の異なる領域を投写することにより一つの大きな画像を投写するスタック投写システムなどに用いられる。
【００５１】
図２は、本実施形態のプロジェクターシステム１００のクールダウンの実行順を示す図である。また、図２（ａ）〜（ｇ）は、クールダウンにおける各プロジェクター１０１，１０２，１０３の状態の遷移を示している。図２を参照して、クールダウンの一例を説明する。
【００５２】
図２に示すように、プロジェクターシステム１００は、３つのプロジェクター１０１，１０２，１０３を備える。図２の例においては、プロジェクターシステム１００は、設定されたクールダウンの順番として、プロジェクター１０１，１０２，１０３の順にクールダウンを実行する。
【００５３】
また、図２の例においては、クールダウンは、終了温度２１１を２段階に下げながら実行されるものとしている。そして、２段階のクールダウンを、それぞれ第１クールダウン、第２クールダウンとする。つまり、第２クールダウンにおける終了温度２１１は第１クールダウンよりも低く設定される。
【００５４】
図２（ａ）に示すように、プロジェクターシステム１００が電源オフ操作を受け付けると、最初に、プロジェクター１０１が第１クールダウンを実行開始し、プロジェクター１０２，１０３はクールダウン待機状態になる。
図２（ｂ）に示すように、プロジェクター１０１の第１クールダウンが終了すると、プロジェクター１０１はクールダウン待機状態になり、次のプロジェクター１０２が第１クールダウンを実行開始する。
【００５５】
図２（ｃ）に示すように、プロジェクター１０２の第１クールダウンが終了すると、プロジェクター１０２はクールダウン待機状態になり、次のプロジェクター１０３が第１クールダウンを実行開始する。
【００５６】
図２（ｄ）に示すように、プロジェクター１０３の第１クールダウンが終了すると、プロジェクター１０３はクールダウン待機状態になる。ここまでの動作により、プロジェクター１０１〜１０３が第１クールダウンを終了する。そして、プロジェクター１０１が第２クールダウンを実行開始する。
【００５７】
図２（ｅ）に示すように、プロジェクター１０１の第２クールダウンが終了すると、プロジェクター１０１はクールダウンを全て終了したので電源オフ待機状態になり、次のプロジェクター１０２が第２クールダウンを実行開始する。
【００５８】
図２（ｆ）に示すように、プロジェクター１０２の第２クールダウンが終了すると、プロジェクター１０２はクールダウンを全て終了したので電源オフ待機状態になり、次のプロジェクター１０３が第２クールダウンを実行開始する。
【００５９】
図２（ｇ）に示すように、プロジェクター１０３の第２クールダウンが終了すると、プロジェクター１０１〜１０３は、２段階のクールダウンを全て終了する。これにより、プロジェクター１０１〜１０３は電源をオフし、スタンバイ状態に移行する。
【００６０】
次に、本実施形態のプロジェクターシステム１００におけるプロジェクター１０１の動作の一例を、図３、図４のフローチャートを参照して説明する。
【００６１】
図３はプロジェクター１０１がメインプロジェクターとして動作し、電源オフするときの動作を示すフローチャートである。図４はプロジェクター１０１のクールダウンの動作を示すフローチャートである。なお、図３では、設定されたクールダウンの順番として、プロジェクターの温度が高い順にクールダウンを実行する設定である。また、終了温度２１１は多段階に設定している。
【００６２】
［電源オフするときの動作］
図３に示すように、プロジェクター１０１が入力操作手段２３の電源キーなどにより電源オフ操作を受けると（ステップＳ１０１）、ステップＳ１０２に遷移する。
【００６３】
ステップＳ１０２において制御手段２０は、光源制御手段２２により光源１１を消灯させ、冷却制御手段２６によりクールダウン待機状態にする。サブプロジェクターに対しては光源消灯コマンド、およびクールダウン待機コマンドにより、光源１１の消灯、およびクールダウン待機状態を指示する。次にステップＳ１０３に遷移する。
【００６４】
ステップＳ１０３において制御手段２０は、各プロジェクターの内部温度情報を収集する。具体的には、温度計測手段２７によりプロジェクター１０１の筐体の内部の温度を取得し、サブプロジェクターに対して内部温度収集コマンドを送信し、それぞれのプロジェクターの内部の温度の計測結果を受信する。次にステップＳ１０４に遷移する。
【００６５】
ステップＳ１０４において制御手段２０は、終了温度２１１にクールダウン情報２１２に基づく最初の段階（第１段階）の温度を設定し、ステップＳ１０５に遷移する。サブプロジェクターに対しては終了温度設定コマンドにより、サブプロジェクターの終了温度２１１を第１段階の温度に設定させる。
【００６６】
ステップＳ１０５において制御手段２０は、ステップＳ１０３において収集した内部温度情報に基づき、最も温度が高いプロジェクターを選択して、クールダウンを実行開始させ、ステップＳ１０６に遷移する。最初のプロジェクターがプロジェクター１０１のときは冷却制御手段２６により、クールダウンを実行させ、最初のプロジェクターがサブプロジェクターの場合には、クールダウン実行コマンドによりクールダウンを実行させる。クールダウンの動作については図４において説明する。
【００６７】
ステップＳ１０６において制御手段２０は、現在クールダウンを実行中のプロジェクターがクールダウンを終了したか否かを調べる。クールダウンを終了した場合（ステップＳ１０６：Ｙ）には、ステップＳ１０７に遷移し、クールダウンを終了していない場合（ステップＳ１０６：Ｎ）には、ステップＳ１０６に遷移する。なお、サブプロジェクターがクールダウンを実行中の場合にはサブプロジェクターよりクールダウン終了通知を受信したか否かにより、クールダウンが終了したか否かを調べる。
【００６８】
ステップＳ１０７において制御手段２０は、全てのプロジェクターのクールダウンが終了したか否かを調べる。全てのプロジェクターのクールダウンが終了した場合（ステップＳ１０７：Ｙ）には、ステップＳ１０９に遷移する。クールダウンを終了していないプロジェクターがある場合（ステップＳ１０７：Ｎ）にはステップＳ１０８に遷移する。
【００６９】
ステップＳ１０８において制御手段２０は、ステップＳ１０３において収集した内部温度情報に基づき、次に温度が高いプロジェクターを選択して、クールダウンを実行開始させ、ステップＳ１０６に遷移する。次のプロジェクターがプロジェクター１０１のときは冷却制御手段２６により、クールダウンを実行させ、次のプロジェクターがサブプロジェクターの場合には、クールダウン実行コマンドによりクールダウンを実行させる。クールダウンの動作については図４において説明する。
【００７０】
ステップＳ１０９において制御手段２０は、終了温度２１１がクールダウン情報２１２に基づく最後の段階の温度に設定されているか否かを調べる。終了温度２１１が最後の段階の温度に設定されている場合（ステップＳ１０９：Ｙ）には、ステップＳ１１１に遷移する。終了温度２１１が最後の段階の温度に設定されていない場合（ステップＳ１０９：Ｎ）には、ステップＳ１１０に遷移する。
【００７１】
ステップＳ１１０において制御手段２０は、終了温度２１１をクールダウン情報２１２に基づく次の段階の温度に設定し、ステップＳ１０５に遷移する。
【００７２】
ステップＳ１１１において制御手段２０は、各サブプロジェクターにスタンバイ状態への移行を指示し、プロジェクター１０１をスタンバイ状態に移行させ、本動作フローを終了する。
【００７３】
［クールダウンの動作］
図４に示すように、クールダウンが開始すると（ステップＳ２０１）、ステップＳ２０２に遷移する。
【００７４】
ステップＳ２０２において冷却制御手段２６は、冷却手段２５の冷却ファンを高速で回転させ、ステップＳ２０３に遷移する。
【００７５】
ステップＳ２０３において冷却制御手段２６は、温度計測手段２７によりプロジェクター１０１の筐体の内部の温度を計測し、ステップＳ２０４に遷移する。
【００７６】
ステップＳ２０４において冷却制御手段２６は、ステップＳ２０３において計測した温度が、終了温度２１１以下か否かを調べる。温度がクールダウンの終了温度２１１以下の場合（ステップＳ２０４：Ｙ）には、ステップＳ２０５に遷移する。温度が終了温度２１１より高い場合（ステップＳ２０４：Ｎ）には、ステップＳ２０３に遷移する。
【００７７】
ステップＳ２０５において冷却制御手段２６は、冷却手段２５の冷却ファンを低速（クールダウンより低い冷却レベル）で回転させるクールダウン待機状態にし、ステップＳ２０６に遷移する。
【００７８】
ステップＳ２０６において制御手段２０は、クールダウンを終了する。なお、サブプロジェクターとしてクールダウンを実行する場合にはメインプロジェクターに対し、クールダウン終了通知を送信する。なお、ステップＳ２０１からステップＳ２０６までがクールダウンステップに相当する。
【００７９】
上述した実施形態によれば、以下の効果が得られる。
プロジェクターシステム１００が電源オフする際、プロジェクター１０１の筐体の内部を冷却するクールダウンを複数のプロジェクターが設定された順に実行するので、全てのプロジェクターが一斉にクールダウンを実行することによる冷却音の増大を防止することが可能となる。
【００８０】
また、クールダウンの実行を待機しているプロジェクターの冷却制御手段２６がクールダウンより低い冷却レベルで冷却手段２５を動作させ、クールダウン待機状態においても温度を下げるので、全てのプロジェクターがクールダウンを終了するまでにかかる時間を短縮することが可能となる。
【００８１】
また、電源オフ時に温度の高いプロジェクターから順にクールダウンを実行するので電源オフ直後の温度が高いプロジェクターが高温状態のままクールダウンの実行を待機する時間を短縮することが可能となる。
【００８２】
また、複数のプロジェクターが設定された順にクールダウンを実行する処理を、終了温度２１１を下げながら複数回実行するので、１回のクールダウンにかかる時間を短くすることができる。これにより、それぞれのプロジェクターがまだ温度が高い状態で次のクールダウンの実行を待機する時間を短縮することが可能となる。
【００８３】
また、内部の温度が終了温度２１１以下になるまで冷却手段２５を動作させるクールダウンを、複数のプロジェクターが設定された順に実行するクールダウンステップ（ステップＳ２０１〜ステップＳ２０６）を備えることにより、複数のプロジェクターが一斉にクールダウンを実行することによる冷却音の増大を防止することが可能となる。
【００８４】
また、上記実施形態は、以下のように変更してもよい。
（変形例１）
上記実施形態のプロジェクターシステム１００では、電源オフする際のクールダウンをプロジェクター１台ずつ実行させているが、例えば２台ずつ実行させるようにしてもよい。これにより、プロジェクターシステム１００を構成するプロジェクターの数が多い場合、全てのプロジェクターのクールダウンが終了するまでにかかる時間を短縮することが可能となる。
【００８５】
（変形例２）
上記実施形態のプロジェクターシステム１００では複数のプロジェクターのそれぞれが、画像情報の異なる領域を投写することにより一枚の大きな画像を投写するスタック投写システムについて説明したが、複数にプロジェクターのそれぞれが同じ画像情報、または別の画像情報を投写するシステムでもよい。
【符号の説明】
【００８６】
６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２２…光源制御手段、２３…入力操作手段、２５…冷却手段、２６…冷却制御手段、２７…温度計測手段、３０…電源端子、３１…電源部、４０…通信手段、１００…プロジェクターシステム、１０１〜１０３…プロジェクター、２０１…モード設定手段、２１１…終了温度、２１２…クールダウン情報。
【図１】
2014164161.tif 000003
【図２】
2014164161.tif 000004
【図３】
2014164161.tif 000005
【図４】
2014164161.tif 000006